(57)【要約】      （修正有）【課題】本発明は、従来構成で派生した構成の複雑性という課題を解決することにある。【解決手段】電子式給糸切換装置１０は、少なくとも二つの駆動ユニット１１と、これら駆動ユニットのうちの一つにそれぞれ接続する少なくとも二つの付勢板１２と、少なくとも二つの給糸ユニット１３とを包含している。各付勢板は接続したこれら駆動ユニットのうちの一つの付勢を受けて一次元運動を行っており、これら給糸ユニットは、並列に設置され、各給糸ユニットは、給糸板１４、糸挟持板、可動刃及び固定刃を順次配列するように設置し、糸挟持板は、給糸板１４に対応するように設置する複数のガイド柱を有し、各給糸板１４がこれら付勢板１２のうちの一つによって押動されると、これらガイド柱によって二次元運動を行い、各可動刃も対応するこれら付勢板１２のうちの一つが行う一次元運動の過程において押動され、各可動刃が押動されると一次元運動を行っている。【選択図】図２
2019104998.tif 000002
【特許請求の範囲】
【請求項１】
それぞれ電子信号の制御を受ける少なくとも二つの駆動ユニットと、
これら駆動ユニットのうちの一つにそれぞれ取付けられ、接続したこれら駆動ユニットのうちの一つの付勢を受けて一次元運動を行い、前記駆動ユニットに取付ける少なくとも一つの接続部と、前記接続部から延伸し且つその運動方向と平行を呈する延伸部と、前記延伸部からそれぞれ延伸し且つ第一距離で離間するように設置するとともにその運動方向と垂直を呈する二つの押動部とをそれぞれ有する少なくとも二つの付勢板と、
並列に設置され、給糸板、糸挟持板、可動刃及び固定刃を順次配列するようにそれぞれ設置し、そのうち、前記給糸板は、前記第一距離に等しい長さを有し且つ前記付勢板の運動方向と平行を呈する曲折部と、前記曲折部から延伸し且つ前記付勢板の運動方向と垂直を呈する給糸部とを有し、前記糸挟持板は、前記曲折部に対応するように設置して前記給糸板が前記付勢板の押動を受けたときに二次元運動を行う複数のガイド柱と、前記二つの押動部の間に対応するように開設する二つの貫通孔とを有し、前記可動刃は、本体部と、前記本体部から延伸し且つ前記付勢板の運動方向と垂直を呈する切断部と、前記本体部上に設け且つそれぞれがこれら貫通孔のうちの一つに向かって突出するとともに前記可動刃がこれら押動部のうちの一つの押動を受けて一次元運動を行う二つの制御ロッドとを有し、前記二つの制御ロッドの間が前記第一距離より小さい第二距離を有する少なくとも二つの給糸ユニットと、を包括することを特徴とする丸編機の電子式給糸切換装置。
【請求項２】
前記駆動ユニットは、空気圧シリンダであることを特徴とする請求項１に記載の丸編機の電子式給糸切換装置。
【請求項３】
前記空気圧シリンダは、シリンダ体及び前記シリンダ体を貫通するプッシュロッドを有し、前記付勢板は、前記二つの接続部を有し、前記二つの接続部は、離間するように設置し且つそれぞれが前記プッシュロッドのうちの一つの末端に接続することを特徴とする請求項２に記載の丸編機の電子式給糸切換装置。
【請求項４】
前記糸挟持板及び前記固定刃は、複数の取付孔をそれぞれ有し、同一軸線に位置するこれら取付孔は、前記ガイド柱を形成するため、横ロッドの貫設を提供することを特徴とする請求項２或いは３に記載の丸編機の電子式給糸切換装置。
【請求項５】
これら駆動ユニットは、マトリックス状に配列されることを特徴とする請求項１或いは２に記載の丸編機の電子式給糸切換装置。
【請求項６】
前記電子式給糸切換装置は、相対し合うこれら給糸ユニットの外側にそれぞれ設置する二つの保護ケーシングを有することを特徴とする請求項５に記載の丸編機の電子式給糸切換装置。
【請求項７】
前記電子式給糸切換装置は、これら駆動ユニットに接続する電気制御ユニットを有することを特徴とする請求項１或いは２に記載の丸編機の電子式給糸切換装置。
【請求項８】
前記駆動ユニットは、ステッピングモータであることを特徴とする請求項１に記載の丸編機の電子式給糸切換装置。
【請求項９】
前記ステップモータは、出力軸と、前記出力軸末端に設置するギアとを有し、前記付勢板の前記接続部は、ラックであることを特徴とする請求項８に記載の丸編機の電子式給糸切換装置。
【発明の詳細な説明】
【技術分野】
【０００１】
本発明は、丸編機の電子式給糸切換変色装置に関するものである。
【背景技術】
【０００２】
現在、丸編機に用いられている電子式給糸切換装置は、特許文献１乃至８ようなものがある。
【０００３】
そのうち、特許文献６でいうと、特許文献６は、供給のために機械にある針床の内側に配置するとともに、並列に配置し合う糸ガイドを支持する支持素子を包含する丸編機の糸供給装置が掲示されている。各前記糸ガイドは、少なくとも一つの糸を前記機械の前記針床に配置する針に供給されるための通路を有し、また、各前記糸ガイドからすると、前記支持素子は、相応する前記糸ガイドから分配された糸を挟持且つ切断するために用いる素子である。これら糸ガイドを作動させるために用いる第一部材は、これら糸ガイドを、配置によって糸通路が前記針床内側に位置するアンアクティブ位置から、配置によって糸通路が前記針床外側に位置するアクティブ位置に伝送されたり、逆に、これら糸ガイドを前記アクティブ位置から前記アンアクティブ位置に伝送されたりするために用いることを提供し、且つ第二部材は、これら挟持且つ切断素子を作動させることで、前記糸を挟持する位置から、前記糸を挟持させる位置まで伝送させるために用いることを提供している。第一作動部材は、前記支持素子に配置するとともに個別のアクチュエータを包含することもでき、これら個別のアクチュエータは、その他の糸ガイドの作動から独立するとともに、前記針床から独立して前記支持素子の位置に相対し、作動によって各前記糸ガイドを前記アンアクティブ位置から前記アクティブ位置に伝送したり、逆に、前記アクティブ位置から前記アンアクティブ位置に伝送したりしている。特許文献６に記載の発明は、ロッド構成の使用を大幅に低減したが、その代わりに、複雑な駆動構成が備わることとなり、具体的にいうと、当該発明は、二つの空気圧シリンダを用いて給糸板の制御を行い、さらに、独立したもう一つの空気圧シリンダを用いて可動刃を制御している。そうなると、当該発明が掲示する電子式給糸切換装置は、駆動構成によって全体の構成を簡略化することができない。
【先行技術文献】
【特許文献】
【０００４】
【特許文献１】米国特許第４，１３７，７３２号明細書
【特許文献２】米国特許第４，１９３，２７４号明細書
【特許文献３】米国特許第４，３８５，５０７号明細書
【特許文献４】米国特許第７，６０７，３２４号明細書
【特許文献５】米国特許第７，８３６，７３１号明細書
【特許文献６】米国特許第７，８６１，５５９号明細書
【特許文献７】米国特許第９，６８３，３２１号明細書
【特許文献８】特開２００５−０４２２６０号公報
【特許文献９】米国特許第９，４４１，３１７号明細書
【発明の概要】
【発明が解決しようとする課題】
【０００５】
本発明の主要な目的は、従来構成で派生した構成の複雑性という課題を解決することにある。
【課題を解決するための手段】
【０００６】
上述の目的を達成するため、本発明は、少なくとも二つの駆動ユニットと、少なくとも二つの付勢板と、少なくとも二つの給糸ユニットとを包含する電子式給糸切換装置を提供している。そのうち、これら駆動ユニットは、それぞれ電子信号の制御を受け、各前記付勢板は、これら駆動ユニットのうちの一つにそれぞれ取付けられ、且つ各前記付勢板は接続したこれら駆動ユニットのうちの一つの付勢を受けて一次元運動を行い、また、各前記付勢板は、前記駆動ユニットに取付ける少なくとも一つの接続部と、前記接続部から延伸し且つ前記付勢板の運動方向と平行を呈する延伸部と、前記延伸部からそれぞれ延伸し且つ第一距離で離間するように設置するとともに前記付勢板の運動方向と垂直を呈する二つの押動部とを有している。これら給糸ユニットは、並列に設置され、各給糸ユニットは、給糸板、糸挟持板、可動刃及び固定刃を順次配列するように設置し、そのうち、前記給糸板は、前記第一距離に等しい長さを有し且つ前記付勢板の運動方向と平行を呈する曲折部と、前記曲折部から延伸し且つ前記付勢板の運動方向と垂直を呈する給糸部とを有し、前記糸挟持板は、前記曲折部に対応するように設置して前記給糸板が前記付勢板の押動を受けたときに二次元運動を行う複数のガイド柱と、前記二つの押動部の間に対応するように開設する二つの貫通孔とを有し、前記可動刃は、本体部と、前記本体部から延伸し且つ前記付勢板の運動方向と垂直を呈する切断部と、前記本体部上に設け且つそれぞれがこれら貫通孔のうちの一つに向かって突出するとともに前記可動刃がこれら押動部のうちの一つの押動を受けて一次元運動を行う二つの制御ロッドとを有し、前記二つの制御ロッドの間は、前記第一距離より小さい第二距離を有している。
【０００７】
実施例において、前記駆動ユニットは、空気圧シリンダである。
【０００８】
実施例において、前記空気圧シリンダは、シリンダ体及び前記シリンダ体を貫通するプッシュロッドを有し、前記付勢板は、前記二つの接続部を有し、前記二つの接続部は、離間するように設置し且つそれぞれが前記プッシュロッドのうちの一つの末端に接続している。
【０００９】
実施例において、前記糸挟持板及び前記固定刃は、複数の取付孔をそれぞれ有し、同一軸線に位置するこれら取付孔は、前記ガイド柱を形成するため、横ロッドの貫設を提供している。
【００１０】
実施例において、これら駆動ユニットは、マトリックス状に配列されている。
【００１１】
実施例において、前記電子式給糸切換装置は、これら駆動ユニットに接続する電気制御ユニットを有している。
【００１２】
実施例において、前記電子式給糸切換装置は、相対し合うこれら給糸ユニットの外側にそれぞれ設置する二つの保護ケーシングを有している。
【００１３】
実施例において、前記駆動ユニットは、ステッピングモータである。
【００１４】
実施例において、前記ステップモータは、出力軸と、前記出力軸末端に設置するギアとを有し、前記付勢板の前記接続部は、ラックである。
【発明の効果】
【００１５】
上述したものを周知技術と比較すると、以下のような利点を有する。
本発明に係る各前記給糸ユニットは、単一の前記駆動ユニットだけで糸払い動作或いは糸掛け動作を完了することができ、前記電子式給糸切換装置の構成を具体的に簡略化することができる。
【図面の簡単な説明】
【００１６】
【図１】本発明の実施例の構成を示す模式図である。
【図２】本発明の実施例の局部構成を示す分解図である。
【図３】本発明の実施例の局部構成を示す分解図である。
【図４】本発明の実施例に係る給糸ユニットの局部構成を示す断面図である。
【図５】本発明の実施例の局部構成を示す模式図である。
【図６Ａ】本発明の実施例に係る給糸ユニットの糸払い動作の連続的な動きを示す模式図である。
【図６Ｂ】本発明の実施例に係る給糸ユニットの糸払い動作の連続的な動きを示す模式図である。
【図６Ｃ】本発明の実施例に係る給糸ユニットの糸払い動作の連続的な動きを示す模式図である。
【図７Ａ】本発明の実施例に係る給糸ユニットの糸掛け動作の連続的な動きを示す模式図である。
【図７Ｂ】本発明の実施例に係る給糸ユニットの糸掛け動作の連続的な動きを示す模式図である。
【図７Ｃ】本発明の実施例に係る給糸ユニットの糸掛け動作の連続的な動きを示す模式図である。
【図８】本発明のもう一つの実施例の構成を示す模式図である。
【図９】本発明のもう一つの実施例の構成を示す平面図である。
【発明を実施するための形態】
【００１７】
本発明に関する詳細な説明及び技術的内容について、図面を参照しつつ以下において説明する。
【００１８】
図１乃至図５を参照されたい。本発明は、丸編機（図示されていない）の編織過程における色糸切換に用いる電子式給糸切換装置１０を提供している。前記電子給糸切換装置１０は、少なくとも二つの駆動ユニット１１と、少なくとも二つの付勢板１２と、少なくとも二つの給糸ユニット１３とを包含し、そのうち、これら駆動ユニット１１、これら付勢板１２及びこれら給糸ユニット１３の数量は、前記電子式給糸切換装置１０に設定された色糸切換可能な数量に基づいて調整することができ、例示すると、前記電子式給糸切換装置１０が六色の色糸に切換可能に設定された場合、これら駆動ユニット１１、これら付勢板１２及びこれら給糸ユニット１３は、それぞれ六つの数量で実施される。なお、ここでは、前記電子式給糸切換装置１０が二色だけの色糸切換で例示しているが、これに限定するものではない。
【００１９】
また、各前記駆動ユニット１１は、それぞれ電子信号の制御を受け、各前記駆動ユニット１１が前記電子信号を受信すると、これに対応する動作が発生している。前記電子信号は、前記丸編機に入力された編成情報における給糸切換信号とすることができ、前記給糸切換信号は、糸払い動作或いは糸掛け動作として解釈することができる。一方、各前記付勢板１２は、これら駆動ユニット１１のうちの一つにそれぞれ取付けられ、且つ各前記付勢板１２は接続したこれら駆動ユニット１１のうちの一つの付勢を受けて一次元運動（Ｏｎｅ−ｄｉｍｅｎｓｉｏｎａｌ  ｍｏｔｉｏｎ）を行っている。また、各前記付勢板１２は、前記駆動ユニット１１に取付ける少なくとも一つの接続部１２１と、前記接続部１２１から延伸し且つ前記付勢板１２の運動方向と平行を呈する延伸部１２２と、前記延伸部１２２からそれぞれ延伸し且つ第一距離９０で離間するように設置するとともに前記付勢板１２の運動方向と垂直を呈する二つの押動部１２３とを有している。さらに、これら給糸ユニット１３は、並列に設置され、各給糸ユニット１３は、給糸板１４、糸挟持板１５、可動刃１６及び固定刃１７を順次配列するように設置し、そのうち、前記給糸板１４は、前記第一距離９０に等しい長さを有し且つ前記付勢板１２の運動方向と平行を呈する曲折部１４１と、前記曲折部１４１から延伸し且つ前記付勢板１２の運動方向と垂直を呈する給糸部１４２とを有し、前記給糸部１４２は、編糸の設置を提供し、前記糸挟持板１５は、前記曲折部１４１に対応するように設置して前記給糸板１４が前記付勢板１２の押動を受けたときに二次元運動（Ｔｗｏ−ｄｉｍｅｎｓｉｏｎａｌ  ｍｏｔｉｏｎ）を行う複数のガイド柱１５１と、前記二つの押動部１２３の間に対応するように開設する二つの貫通孔１５２とを有し、前記可動刃１６は、本体部１６１と、前記本体部１６１から延伸し且つ前記付勢板１２の運動方向と垂直を呈する切断部１６２と、前記本体部１６１上に設け且つそれぞれがこれら貫通孔１５２のうちの一つに向かって突出するとともに前記可動刃１６がこれら押動部１２３のうちの一つの押動を受けて一次元運動を行う二つの制御ロッド１６３とを有し、前記二つの制御ロッド１６３の間は、前記第一距離９０より小さい第二距離９１を有している。具体的にいうと、前記可動刃１６の長さは、前記給糸板１４より短く、前記付勢板１２が移動する過程において、いずれも前記給糸板１４が先に押動されることで、前記可動刃１６を押動している。さらに、前記電子式給糸切換装置１０は、これら駆動ユニット１１に接続する電気制御ユニット１８を有し、前記電気制御ユニット１８は、編成に必要な情報を取得するため、コンピュータ装置とさらに接続することができる。或いは、前記電気制御ユニット１８は、ユーザが編成情報を入力するためのメモリー素子（図示されていない）を有している。これ以外に、前記電子式給糸切換装置１０は、相対し合うこれら給糸ユニット１３の外側にそれぞれ設置する二つの保護ケーシング１９を有している。
【００２０】
次に、図６Ａ乃至図６Ｃを参照されたい。各前記給糸ユニット１３は、制御を受けて前記糸払い動作或いは前記糸掛け動作をそれぞれ行い、前記丸編機が色糸切換を行うと、単一の前記給糸ユニット１３だけが作動するのではなく、もう一つの色糸を提供するこれら給糸ユニット１３のうちの一つがまず前記糸払い動作を行い、前記丸編機の鈎針（図示されていない）が糸を引っ掛けることで、給糸を行っていたもう一つの前記給糸ユニット１３が前記糸掛け動作を行っている。ここでまず、本発明に係る各前記給糸ユニット１３が前記糸払い動作を行う際の前記電子式給糸切換装置１０にある各部材の動作について説明する。前記糸払い動作の開始時、前記電子式給糸切換装置１０の状態は、図６Ａにあるとおりで、前記駆動ユニット１１が前記電子信号を受信して起動すると、前記付勢板１２は前記駆動ユニット１１によって押動され、第一方向９２に向かって前進するように一次元運動を行っている。これと同時に、前記給糸板１４は前記付勢板１２によって押動され、同じように前記第一方向９２に向かって前進するが、前記給糸板１４が移動する過程においてこれらガイド柱１５１の作用を受けるため、前記曲折部１４１の態様に伴って二次元運動を行うことで、前記給糸板１４上の編糸は、前記鈎針の作業領域に進入して鈎針に引っ掛け、前記糸払い動作の終了時の前記電子式給糸切換装置１０の状態は、図６Ｃのようになっている。
【００２１】
次に、本発明に係る各前記給糸ユニット１３が前記糸掛け動作を行う際、図７Ａにあるように、実際には、前記電子式給糸切換装置１０は、前記糸払い動作の終了時の状態にある。このとき、前記駆動ユニット１１が再度前記電子信号を受信して起動すると、前記付勢板１２は前記駆動ユニット１１によって押動され、前記第一方向９２の反対方向である第二方向９３に向かって前進するように一次元運動を行っている。これと同時に、前記給糸板１４は前記付勢板１２によって押動され、同じように前記第二方向９３に向かって前進するが、前記給糸板１４が移動する過程において同じようにこれらガイド柱１５１の作用を受けるため、前記曲折部１４１の態様に伴って二次元運動を行うことで、前記給糸板１４は、図７Ｂ及び図７Ｃにあるように、編成を行っていた編糸を前記鈎針の作業領域から離れるように牽引している。また、前記編糸が牽引されている過程において、前記可動刃１６によって引っ掛けられ、前記可動刃１６は、前記制御ロッド１６３が前記付勢板１２によって押動されることで、前記第二方向９３に向かって前進し、その後、前記編糸は、前記可動刃１６と前記糸挟持板１５との間に挟持され、前記可動刃１６が前記編糸を前記固定刃１７に押し当てると、前記編糸は切断される。なお、より詳細な編糸の挟持切断動作については、特許文献９で掲示されているため、ここではこれ以上言及しない。
【００２２】
また、前記電子式給糸切換装置１０の厚さを具体的に薄型化させるため、これら駆動ユニット１１は、マトリックス状に配列されており、図２で図示されている六色の色糸切換が可能な前記電子式給糸切換装置１０でいうと、これら駆動ユニット１１は２×３のマトリックス状に配列されている。また、これら駆動ユニット１１がマトリックス状に配列するように設置すると、これら付勢板１２は、これら駆動ユニット１１の間に形成する間隙にそれぞれ延伸し、その他の部材に干渉しないようにしている。また、本実施例のように、前記電子式給糸切換装置１０の厚さを薄型化することで、前記丸編機の給糸口を増加させることができる。
【００２３】
再度、図２及び図３を参照されたい。本発明に係る前記駆動ユニット１１の実施方法は様々あり、実施例において、前記駆動ユニット１１は、空気圧シリンダとすることができ、さらにいうと、前記空気圧シリンダは、シリンダ体１１１及び前記シリンダ体１１１を貫通するプッシュロッド１１２を有している。この場合、本発明に係る前記付勢板１２は、前記二つの接続部１２１、１２４を有し、前記二つの接続部１２１、１２４は、離間するように設置し且つそれぞれが前記プッシュロッド１１２のうちの一つの末端に接続している。これにより、前記プッシュロッド１１２が伸縮運動を行うと、前記二つの接続部１２１、１２４の移動が連動され、前記付勢板１２を押動している。さらに、図８及び図９を参照されたい。上述した実施例以外に、前記駆動ユニット１１は、ステッピングモータ２０とすることもでき、前記ステッピングモータ２０の出力軸２０１末端は、ギア２０２を設置することができ、前記付勢板１２の前記接続部１２１は、ラック状で実施することができ、前記ステッピングモータ２０が起動すると、前記ギア２０２がラック状で実施する前記接続部１２１を押動し、前記付勢板１２を移動させている。
【００２４】
再度、図３を参照すると、前記電子式給糸切換装置１０の構成を簡略化させるため、実施例において、前記糸挟持板１５及び前記固定刃１７は、複数の取付孔１５３、１７１をそれぞれ有し、同一軸線に位置するこれら取付孔１５３、１７１は、前記ガイド柱１５１を形成するため、横ロッド１０１の貫設を提供している。これにより、構成の簡略化以外に、前記電子式給糸切換装置１０全体の構成強度を向上させることができる。
【符号の説明】
【００２５】
１０        電子式給糸切換装置
１０１      横ロッド
１１        駆動ユニット
１１１      シリンダ体
１１２      プッシュロッド
１２        付勢板
１２１      接続部
１２２      延伸部
１２３      押動部
１２４      接続部
１３        給糸ユニット
１４        給糸板
１４１      曲折部
１４２      給糸部
１５        糸挟持板
１５１      ガイド柱
１５２      貫通孔
１５３      取付孔
１６        可動刃
１６１      本体部
１６２      切断部
１６３      制御ロッド
１７        固定刃
１７１      取付孔
１８        電気制御ユニット
１９        保護ケーシング
２０        ステッピングモータ
２０１      出力軸
２０２      ギア
９０        第一距離
９１        第二距離
９２        第一方向
９３        第二方向
【図１】
2019104998.tif 000003
【図２】
2019104998.tif 000004
【図３】
2019104998.tif 000005
【図４】
2019104998.tif 000006
【図５】
2019104998.tif 000007
【図６Ａ】
2019104998.tif 000008
【図６Ｂ】
2019104998.tif 000009
【図６Ｃ】
2019104998.tif 000010
【図７Ａ】
2019104998.tif 000011
【図７Ｂ】
2019104998.tif 000012
【図７Ｃ】
2019104998.tif 000013
【図８】
2019104998.tif 000014
【図９】
2019104998.tif 000015
【手続補正書】
【提出日】平成31年3月11日(2019.3.11)
【手続補正１】
【補正対象書類名】特許請求の範囲
【補正対象項目名】全文
【補正方法】変更
【補正の内容】
【特許請求の範囲】
【請求項１】
それぞれ電子信号の制御を受ける少なくとも二つの駆動ユニットと、
これら駆動ユニットのうちの一つにそれぞれ取付けられ、接続したこれら駆動ユニットのうちの一つの付勢を受けて一次元運動を行い、前記駆動ユニットに取付ける少なくとも一つの接続部と、前記接続部から延伸し且つその運動方向と平行を呈する延伸部と、前記延伸部からそれぞれ延伸し且つ第一距離で離間するように設置するとともにその運動方向と垂直を呈する二つの押動部とをそれぞれ有する少なくとも二つの付勢板と、
並列に設置され、給糸板、糸挟持板、可動刃及び固定刃を順次配列するようにそれぞれ設置し、そのうち、前記給糸板は、前記第一距離に等しい長さを有し且つ前記付勢板の運動方向と平行を呈する曲折部と、前記曲折部から延伸し且つ前記付勢板の運動方向と垂直を呈する給糸部とを有し、前記糸挟持板は、前記曲折部に対応するように設置して前記給糸板が前記付勢板の押動を受けたときに二次元運動を行う複数のガイド柱と、前記二つの押動部の間に対応するように開設する二つの貫通孔とを有し、前記可動刃は、本体部と、前記本体部から延伸し且つ前記付勢板の運動方向と垂直を呈する切断部と、前記本体部上に設け且つそれぞれがこれら貫通孔のうちの一つに向かって突出するとともに前記可動刃がこれら押動部のうちの一つの押動を受けて一次元運動を行う二つの制御ロッドとを有し、前記二つの制御ロッドの間が前記第一距離より小さい第二距離を有する少なくとも二つの給糸ユニットと、を包括することを特徴とする丸編機の電子式給糸切換装置。
【請求項２】
前記駆動ユニットは、空気圧シリンダであることを特徴とする請求項１に記載の丸編機の電子式給糸切換装置。
【請求項３】
前記空気圧シリンダは、シリンダ体及び前記シリンダ体を貫通するプッシュロッドを有し、前記付勢板は、前記二つの接続部を有し、前記二つの接続部は、離間するように設置し且つそれぞれが前記プッシュロッドのうちの一つの末端に接続することを特徴とする請求項２に記載の丸編機の電子式給糸切換装置。
【請求項４】
前記糸挟持板及び前記固定刃は、複数の取付孔をそれぞれ有し、同一軸線に位置するこれら取付孔は、前記ガイド柱を形成するため、横ロッドの貫設を提供することを特徴とする請求項２或いは３に記載の丸編機の電子式給糸切換装置。
【請求項５】
これら駆動ユニットは、マトリックス状に配列されることを特徴とする請求項１或いは２に記載の丸編機の電子式給糸切換装置。
【請求項６】
前記電子式給糸切換装置は、相対し合うこれら給糸ユニットの外側にそれぞれ設置する二つの保護ケーシングを有することを特徴とする請求項５に記載の丸編機の電子式給糸切換装置。
【請求項７】
前記電子式給糸切換装置は、これら駆動ユニットに接続する電気制御ユニットを有することを特徴とする請求項１或いは２に記載の丸編機の電子式給糸切換装置。
【請求項８】
前記駆動ユニットは、ステッピングモータであることを特徴とする請求項１に記載の丸編機の電子式給糸切換装置。
【請求項９】
前記ステッピングモータは、出力軸と、前記出力軸末端に設置するギアとを有し、前記付勢板の前記接続部は、ラックであることを特徴とする請求項８に記載の丸編機の電子式給糸切換装置。